(57)【要約】【課題】携帯電話端末用カバーに取り付けられた装飾物が剥がれにくい、携帯電話端末用カバーを提供する。【解決手段】携帯電話端末１０に着脱可能な携帯電話端末用カバー１であって、外面１１１、１２１に装飾物９０が取り付けられる装飾領域３０を有し、装飾領域３０を画定する周縁には、外面１１１、１２１から外方に突出する第１突出壁３１が形成されていることを特徴とする。【選択図】図３
2013157727.tif 000002
【特許請求の範囲】
【請求項１】
携帯電話端末に着脱可能な携帯電話端末用カバーであって、
外面に装飾物が取り付けられる装飾領域を有し、
前記装飾領域を画定する周縁には、前記外面から外方に突出する第１突出壁が形成されていることを特徴とする、携帯電話端末用カバー。
【請求項２】
前記装飾領域には、前記携帯電話端末の操作部を露出させる少なくとも１以上の開口が形成されており、
前記開口の内、少なくとも１つの開口の周縁には、前記外面から外方に突出する第２突出壁が形成されている、請求項１記載の携帯電話端末用カバー。
【請求項３】
前記携帯電話端末用カバーは、前記携帯電話端末の背面を覆うように、前記携帯電話端末に着脱可能となっており、
前記携帯電話端末用カバーは、前記背面を覆う本体部と、前記形態電話端末の側部を覆う側部と、を備え、
前記装飾領域は、前記本体部の外面全体に設けられ、
前記装飾領域には、前記携帯電話端末のカメラレンズ部を露出させる前記開口が形成されている、請求項２記載の携帯電話端末用カバー。
【請求項４】
前記第１突出壁の突出高さは、０．５〜２ｍｍである、請求項１〜３のいずれか１つに記載の携帯電話端末用カバー。
【請求項５】
前記第１突出壁の幅は、０．５〜１ｍｍである、請求項１〜４のいずれか１つに記載の携帯電話端末用カバー。
【請求項６】
前記第２突出壁の突出高さは、０．５〜２ｍｍである、請求項２〜５のいずれか１つに記載の携帯電話端末用カバー。
【請求項７】
前記第２突出壁の幅は、０．５〜１ｍｍである、請求項２〜６のいずれか１つに記載の携帯電話端末用カバー。
【発明の詳細な説明】
【技術分野】
【０００１】
本発明は、携帯電話端末に着脱可能な携帯電話端末用カバーに関するものである。
【背景技術】
【０００２】
近年、携帯電話端末の使用者の増加と共に、そのデザインの多様化が望まれるようになってきている。そして、デザインの多様化の１つとして、特許文献１に示されるように、携帯電話端末のカバーにラインストーンと呼ばれるガラス、アクリル樹脂等を取り付けるという装飾が行われている携帯電話端末用カバーが存在する。
【先行技術文献】
【特許文献】
【０００３】
【特許文献１】特開２００９−１６６４６６号公報
【発明の概要】
【発明が解決しようとする課題】
【０００４】
しかし、上記のような携帯電話端末用カバーの装飾では、取り付けられたラインストーンが外れるという課題があった。特に、携帯電話端末は携帯して使用されるものであり、例えば、ポケットやバッグに収納する際やテーブル等に置く際に、特に最外周のラインストーンが他の物体と接触して、剥がれるという事象が存在した。
【０００５】
そこで、本発明では、携帯電話端末用カバーに取り付けられた装飾物が剥がれにくい携帯電話端末用カバーを提供することを目的とする。
【課題を解決するための手段】
【０００６】
本発明は、携帯電話端末に着脱可能な携帯電話端末用カバーであって、外面に装飾物が取り付けられる装飾領域を有し、前記装飾領域を画定する周縁には、前記外面から外方に突出する第１突出壁が形成されていることを特徴とする。
【０００７】
前記構成によれば、装飾物の取付面が第１突出壁によって側方から覆われるので、装飾物を剥がれにくくすることができる。また、装飾物を接着剤で携帯電話用カバーの外面に取り付ける際、装飾領域から領域外に向かって接着剤が浸出することを第１突出壁によって防止できる。
【０００８】
本発明は、更に、次のような構成を備えるのが好ましい。
（１）前記装飾領域には、前記携帯電話端末の操作部を露出させる少なくとも１以上の開口が形成されており、前記開口の内、少なくとも１つの開口の周縁には、前記外面から外方に突出する第２突出壁が形成されている。
（２）前記構成（１）において、前記携帯電話端末用カバーは、前記携帯電話端末の背面を覆うように、前記携帯電話端末に着脱可能となっており、前記携帯電話端末用カバーは、前記背面を覆う本体部と、前記形態電話端末の側部を覆う側部と、を備え、前記装飾領域は、前記本体部の外面全体に設けられ、前記装飾領域には、前記携帯電話端末のカメラレンズ部を露出させる前記開口が形成されている。
（３）前記第１突出壁の突出高さは、０．５〜２ｍｍである。
（４）前記第１突出壁の幅は、０．５〜１ｍｍである。
（５）前記構成（１）において、前記第２突出壁の突出高さは、０．５〜２ｍｍである。
（６）前記構成（１）において、前記第２突出壁の幅は、０．５〜１ｍｍである。
【０００９】
前記構成（１）によれば、装飾物の取付面が第２突出壁によって側方から覆われるので、装飾物を剥がれにくくすることができる。また、装飾物を接着剤で携帯電話用カバーの外面に取り付ける際、装飾領域から開口に向かって接着剤が浸出することを防止できる。
【００１０】
前記構成（２）によれば、装飾領域が携帯電話端末用カバーの本体部の外面全体に設けられているので、携帯電話端末用カバーの装飾性を高めることができる。なお、装飾領域内にカメラレンズ部を露出させる開口が設けられているので、カメラレンズ部の機能を妨げないで、カメラレンズ部を装飾の一部として利用することができる。
【００１１】
装飾物は、上方からよりもむしろ、側方からの他の物体との接触によって剥がれる可能性が高く、前記構成（３）によれば、装飾物が側方から他の物体と接触することを第１突出壁によって防止できるので、装飾物を剥がれにくくすることができる。また、装飾物を取り付ける接着剤の装飾領域外への浸出を第１突出壁の突出高さによって防止できる。
【００１２】
前記構成（４）によれば、第１突出壁の必要な構造強度を確保しながら、第１突出壁によって装飾物の外観及び触感が損なわれるのを防止できる。
【００１３】
前記構成（５）によれば、装飾物を取り付ける接着剤の装飾領域外への浸出を第２突出壁の突出高さによって防止できる。
【００１４】
前記構成（６）によれば、第２突出壁の必要な構造強度を確保しながら、第２突出壁によって装飾物の外観及び触感が損なわれるのを防止できる。
【発明の効果】
【００１５】
要するに本発明によると、携帯電話端末用カバーに取り付けられた装飾物が剥がれにくい携帯電話端末用カバーを提供することができる。
【図面の簡単な説明】
【００１６】
【図１】本発明の実施形態に係る携帯電話端末用カバーを携帯電話端末に取り付ける取付方法を示す概略斜視図である。
【図２】携帯電話端末用カバーを取り付けた状態の携帯電話端末の概略斜視図である。
【図３】携帯電話端末用カバーの斜視図である。
【図４】携帯電話端末用カバーの側面図である。
【図５】図３のＶ−Ｖ断面図である。
【図６】別の実施形態の携帯電話端末用カバーの斜視図である。
【発明を実施するための形態】
【００１７】
図１は、本発明の実施形態に係る携帯電話端末用カバーを携帯電話端末に取り付ける取付方法を示す概略斜視図である。図２は、携帯電話端末用カバーを取り付けた状態の携帯電話端末の概略斜視図である。図１に示されるように、携帯電話端末用カバー１は、本体部１１と側部１２とを備えており、本体部１１と側部１２とは一体形成されている。本体部１１は、外面１１１と、携帯電話端末１０の背面１０１と接する内面１１２とを備えており、背面１０１を覆うようになっている。また、側部１２は、外面１２１と、携帯電話端末１０の側面１０２と接する内面１２２とを備えており、側面１０２を覆うようになっている。そして、図１及び図２に示されるように、携帯電話端末カバー１は、側部１２が携帯電話端末１０の側面１０２を挟持することによって、携帯電話端末１０に取り付けられるようになっている。携帯電話端末１０は、本体部１０３とディスプレイ部１０４とが一体となったタイプである。
【００１８】
携帯電話端末用カバー１には、携帯電話端末１０の操作部を露出させる第１開口２１及び第２開口２２が形成されている。具体的には、第１開口２１は、携帯電話端末１０のカメラレンズ部を露出させるために、本体部１１を貫通するように設けられている。また、第２開口２２は、携帯電話端末１０の操作ボタン等を露出させるために、側部１２を貫通するように設けられている。
【００１９】
図３は、携帯電話端末用カバー１の斜視図であり、図４は、携帯電話端末用カバー１の側面図である。図５は、図３のＶ−Ｖ断面図である。本体部１２の外面１１１全体には、ラインストーンと呼ばれるガラス、アクリル樹脂等の装飾物９０が取り付けられる装飾領域３０が設けられている。装飾物９０は、接着剤８０によって装飾領域３０に取り付けられている。なお、接着剤ではなく、両面接着テープによって、装飾物９０を装飾領域３０に取り付ける場合であっても、装飾物９０を取り付けた後、装飾物９０が剥がれにくいように、装飾物９０間に接着剤８０を注入する作業を行っている。装飾領域３０を画定する周縁には、外面１１１から外方に突出する第１突出壁３１が形成されている。第１突出壁３１の突出高さＨ１は、０．５〜２ｍｍであり、第１突出壁３１の幅Ｗ１は、０．５〜１ｍｍである。装飾物９０の高さは、小さいもので０．５〜２ｍｍ程度であり、大きいものでは５ｍｍ程度あるものもあるが、通常、装飾領域３０の周縁に取り付けられる装飾物は小さいものとなっている。したがって、第１突出壁３１の突出高さＨ１は、装飾領域３０の周縁に取り付けられる装飾物９０の高さと略同じとなっている。なお、装飾物９０の取付面を側方から覆うという観点では、第１突出壁３１は、外面１１１から少しでも突出しておれば良い。
【００２０】
装飾領域３０には、第１開口２１が形成されており、第１開口２１の周縁には、表面１１２から外方に突出する第２突出壁３２が形成されている。第２突出壁３２の突出高さＨ２は、０．５〜２ｍｍであり、第２突出壁３２の幅Ｗ２は、０．５〜１ｍｍである。第１突出壁３１の突出高さにおいて述べたのと同様に、第２突出壁３２の突出高さＨ２は、第１開口２１の周縁に取り付けられる装飾物９０の高さと略同じとなっている。なお、装飾物９０の取付面を側方から覆うという観点では、第２突出壁３２は、外面１１１から少しでも突出しておれば良い。
【００２１】
前記構成の携帯電話端末用カバー１によれば、次のような効果を発揮できる。
【００２２】
（１）装飾物９０の取付面、特に装飾領域３０の周縁に位置する装飾物９０の取付面が、第１突出壁３１によって側方から覆われるので、装飾物９０を剥がれにくくすることができる。また、装飾物９０を接着剤で携帯電話端末用カバー１の外面１１１に取り付ける際、装飾領域３０から装飾領域外に向かって接着剤が浸出することを第１突出壁３１によって防止できる。なお、装飾物９０を両面接着テープで携帯電話端末用カバー１の外面１１１に取り付ける場合であっても、上述したように、装飾物９０を取り付けた後、装飾物９０が剥がれにくいように、装飾物９０間に接着剤８０を注入する作業を行うため、装飾領域３０からの接着剤８０の浸出防止は重要である。
【００２３】
（２）装飾物９０の取付面、特に第１開口２１の周縁に位置する装飾物９０の取付面が、第２突出壁３２によって側方から覆われるので、装飾物９０を剥がれにくくすることができる。また、装飾物９０を接着剤８０で携帯電話用端末用カバー１の外面１１１に取り付ける際、装飾領域３０から第１開口２１に向かって接着剤８０が浸出することを防止できる。
【００２４】
（３）装飾物９０は、上方からよりもむしろ、側方からの他の物体との接触によって剥がれる可能性が高い。ここで、第１突出壁３１の突出高さＨ１は、０．５〜２ｍｍであり、装飾領域３０の周縁に取り付けられる装飾物９０の高さと略同じとなっているので、装飾物９０が側方から他の物体と接触することを第１突出壁３１によって防止でき、装飾物９０を剥がれにくくすることができる。また、装飾物９０を取り付ける接着剤の浸出を第１突出壁３１の突出高さＨ１によって防止できる。
【００２５】
（４）第１突出壁３１の幅Ｗ１が０．５〜１ｍｍであるので、第１突出壁３１の必要な構造強度を確保しながら、第１突出壁３１によって装飾物９０の外観及び触感が損なわれるのを防止できる。
【００２６】
（５）第２突出壁３２の突出高さＨ２が０．５〜２ｍｍであるので、装飾物９０を取り付ける接着剤の装飾領域外への浸出を第２突出壁３２の突出高さによって防止できる。
【００２７】
（６）第２突出壁３２の幅Ｗ２が０．５〜１ｍｍであるので、第２突出壁３２の必要な構造強度を確保しながら、第２突出壁３２によって装飾物９０の外観及び触感が損なわれるのを防止できる。
【００２８】
上記実施形態では、外面１１１全体に装飾領域３０を有する例を示しているが、装飾領域３０は、外面１１１全体である必要はない。図６は、本実施形態とは異なる別の実施形態の携帯電話端末用カバー１の斜視図である。この実施形態では、図６に示されるように、外面１１１の一部が装飾領域３０となっている。この場合、外面１１１の一部である装飾領域３０の周縁に第１突出壁３１が形成される。また、第１開口２１は、装飾領域３０内に設けられていないので、第１開口２１の周縁に第２突出壁は形成されていない。
【００２９】
上記実施形態では、本体部１１の外面１１１に装飾領域を有する例を示しているが、側部１２の外面１２１に装飾領域を有していても良い。
【００３０】
上記実施形態では、携帯電話端末１０は、本体部１０３とディスプレイ部１０４とが一体となったタイプであるが、本発明の携帯電話端末用カバー１は、このような一体タイプに限定されず、本体部とディスプレイ部とが折り畳み可能な折り畳みタイプや、ディスプレイ部が本体部に対してスライドするスライドタイプ、あるいはその他のタイプにも適用可能である。
【００３１】
特許請求の範囲に記載された本発明の精神及び範囲から逸脱することなく、各種変形及び変更を行うことも可能である。
【産業上の利用可能性】
【００３２】
本発明の携帯電話端末用カバーでは、携帯電話端末用カバーに取り付けられた装飾物を剥がれにくくすることができるので、産業上の利用価値が大である。
【符号の説明】
【００３３】
１  携帯電話端末用カバー
１０  携帯電話端末
１０１  裏面  １０２  側面
１０３  本体部  １０４  ディスプレイ部
１１  本体部  １１１  外面  １１２  内面
１２  側部  １２１  外面  １２２  内面
２１  第１開口  ２２  第２開口
３０  装飾領域  ３１  第１突出壁  ３２  第２突出壁
９０  装飾物
【図１】
2013157727.tif 000003
【図２】
2013157727.tif 000004
【図３】
2013157727.tif 000005
【図４】
2013157727.tif 000006
【図５】
2013157727.tif 000007
【図６】
2013157727.tif 000008